(57)【要約】    【課題】点検の質の一定化・点検漏れの防止を図り、防火対象物の実態に適合した消防計画を自動的に作成する。    【解決手段】建物内を巡回し、各々の設備が適正に設置されているか、また避難上の通路が確保されているかなど、各々の場所で複数の事象や複数の設備を点検する防火対象物点検方法であって、写真・イラストなどの現場の情景や図面を表示し、シンボルマークや設備機器画像部分をクリックするとその点検内容や不具合内容等が表示され、その該当部分をクリックする事により点検表や点検結果通知書などが自動的に作製される。また防火対象物の階層・床面積・用途・収容人員等を含む実体を入力すれば、防火対象物の実態に適合した消防計画を自動的に作成する。    【選択図】      図１
2005267142.tif 000002
【特許請求の範囲】
【請求項１】
建物内を巡回し、各々の設備が適正に設置されているか、また避難上の通路が確保されているかなど、各々の場所で複数の事象や複数の設備を点検する防火対象物点検方法に於いて、
写真・イラストなどの現場の情景や図面を表示し、シンボルマークや設備機器画像部分をクリックするとその点検内容や不具合内容等が表示され、その該当部分をクリックする事により点検表や点検結果通知書などが自動的に作製される事を特徴とした防火対象物点検方法。
【請求項２】
コンピュータに、
写真・イラストなどの現場の情景や図面を表示するステップと、
シンボルマークや設備機器画像部分をクリックするとその点検内容や不具合内容等を表示するステップと、
表示された前期点検内容や不具合内容等の該当部分をクリックする事により点検表や点検結果通知書などが自動的に作製されるステップと、
を実行させることを特徴とするプログラム。
【請求項３】
防火対象物の階層・床面積・用途・収容人員等を含む実体を入力すれば、前記防火対象物の実態に適合した消防計画を自動的に作成することを特徴とする消防計画作成方法。
【請求項４】
コンピュータに、
防火対象物の階層・床面積・用途・収容人員等を含む実体を入力するステップと、
前記防火対象物の実態に適合した消防計画を自動的に作成するステップと、
を実行させることを特徴とするプログラム。
【発明の詳細な説明】
【技術分野】
【０００１】
本発明は、消防署の行う査察業務や近年法制化された防火対象物点検などの際に
使用する防火対象物点検方法とそのプログラム及び防火対象物(建物)の防火管理者が消防法(8条・8条の2)に定められた消防計画を作成する消防計画作成方法及びプログラムに関する。
【背景技術】
【０００２】
従来、消防の行う建物査察や、また近年法制化された防火対象物点検などでは、点検の要領や判定基準の教育を受けたある一定以上の能力水準を有する資格者により、法律書や点検要領書などの多数の参考資料を持ち込み実施されている。
また、点検要領等を点検場所の状況に応じて要領等が表示され、点検表や結果通知書などが自動作製される点検用ソフトウェアはなく、点検結果に基づき点検表の用紙を作成するソフトウェアのみがある。
【０００３】
一方、消防計画ついては、防火管理者等が消防法(8条・8条の2)に定められた規定により、その防火対象物(建物)の実態に適合した消防計画を作成し、その防火対象物(建物)を所轄する消防署に届け出なければならないとされており、その消防計画については、消防機関で作成された消防計画の作成例を参考に各防火管理者がアレンジし自己の防火対象物の消防計画として作成・届け出られている。
【発明の開示】
【発明が解決しようとする課題】
【０００４】
しかしながら、このような従来の点検方法では、点検者の資質による差異が非常に大きく、その都度参考資料を参照しなければならない事から非効率で、点検の見落としも多いといった問題点があった。
【０００５】
一方、消防計画の作成例は、防火対象物の規模単位で各々数点示されているだけである為、これらを参考に防火管理者が作成する消防計画も画一的になり、その防火対象物の実態に合わなく、実行性のある消防計画が立案されていないと言う問題点があった。
【０００６】
また、消防機関で示された消防計画のアレンジといっても、そのアレンジを実施する防火管理者の能力差により、法的不適合の問題が生じたり、作成に大幅に時間がかかったりと問題点は非常に多い。
【０００７】
本発明は、点検の効率化・点検者の資質に左右されない点検の質の一定化・点検漏れの防止を図った防火対象物点検方法及びそのプログラムを提供することを目的とする。
【０００８】
また本発明は、パソコン上でその防火対象物の実態(階層・床面積・用途・収容人員等)を入力すれば、自動的にその防火対象物の実態に適合した消防計画が自動的に作成される消防計画作成方法及びそのプログラムを提供することを目的とする。
【課題を解決するための手段】
【０００９】
この目的を達成するため、本発明は次のように構成する。まず本発明の防火対象物点検方法を提供する。即ち、建物内を巡回し、各々の設備が適正に設置されているか、また避難上の通路が確保されているかなど、各々の場所で複数の事象や複数の設備を点検する防火対象物点検方法に於いて、写真・イラストなどの現場の情景や図面を表示し、シンボルマークや設備機器画像部分をクリックするとその点検内容や不具合内容等が表示され、その該当部分をクリックする事により点検表や点検結果通知書などが自動的に作製される事を特徴とする。
【００１０】
本発明は防火対象物点検のためのプログラムを提供する。このプログラムは、コンピュータに、写真・イラストなどの現場の情景や図面を表示するステップと、
シンボルマークや設備機器画像部分をクリックするとその点検内容や不具合内容等を表示するステップと、
表示された前期点検内容や不具合内容等の該当部分をクリックする事により点検表や点検結果通知書などが自動的に作製されるステップと、
を実行させることを特徴とする。
【００１１】
本発明は、消防計画作成方法を提供する。この消防計画作成方法は、防火対象物の階層・床面積・用途・収容人員等を含む実体を入力すれば、防火対象物の実態に適合した消防計画を自動的に作成することを特徴とする。
【００１２】
本発明は、消防計画作成のためのプログラムを提供する。このプログラムは、コンピュータに、
防火対象物の階層・床面積・用途・収容人員等を含む実体を入力するステップと、
前記防火対象物の実態に適合した消防計画を自動的に作成するステップと、
を実行させることを特徴とする。
【発明の効果】
【００１３】
本発明の防火対象物点検によれば、点検を行う場所を選択すると、その場所の情景(写真・イラストなど)や図面が表示され、その中のシンボルマークや設備機器画像部分をクリックすると、点検表が自動作成される様にし、点検対象の点検漏れを防止できるようにする。
【００１４】
また、点検用プログラムについても、点検対象の設備機器のシンボルマークや設備機器画像部分クリックする事により、点検要領や不具合内容・関連法令等が自動表示または、選択表示されるようにした為、点検の効率化・点検者の資質に左右されない点検の質の一定化を図る事ができる。
【００１５】
即ち、本発明の防火対象物点検によれば、点検場所の点検対象設備などが自動的に表示される為、点検対象の点検漏れを防止できるようになる。また、該当する設備機器画像部分クリックする事により、点検要領や不具合内容・関連法令等が自動表示または、選択表示されるようにした為、点検の効率化・点検者の資質に左右されない点検の質の一定化を図る事ができる。
【００１６】
また本発明の消防計画作成は、消防法令で述べられている実態に即した消防計画と同等に、建物の階層・各居室の用途・床面積・階段数・エレベータ数・消防用施設・収容人員・従業員数・テナント数などの状況等で決定される。従って、たとえば建物の階層15階で床面積30000ｍ２であれば、大規模用の語群から、またさらに用途がホテルであればホテル用の語群からといったように各語群を用意しておき、その防火対象物の条件を入力する事により、その語群の中から各々抽出し組み合わせる事により消防法令で述べられている実態に即した消防計画の立案が高速且つ確実にできる。その結果、消防計画書作成が用途別に自動的に作成できるため不備漏れが防止でき、実態に沿った適切な消防計画書が作成できる。また、本発明により消防計画書が容易にできることで防火対象物点検制度に必要な消防計画書作成に貢献できる。
【発明を実施するための最良の形態】
【００１７】
（防火対象物点検処理）
本発明による防火対象物点検処理のプログラムの実行による処理手順の実施形態は次のようになる。
【００１８】
ステップＳ１：メニュ−画面から廊下を選択すると図１の様な写真やイラストが表示され、点検必要箇所のチェックマ−ク１，２，３が点滅する。
【００１９】
ステップＳ２：点検実施対象として点検チェックマ−ク１をクリックすると図２の様な画面表示がされる。
【００２０】
ステップＳ３：図２から「感知器に変形や損傷あり」をクリックするとチェックリストに感知器に変形や損傷ありが記載され、画面は図１の画面に戻る。但し、感知器の点検が終了した為、点検チェックマ−ク１は点滅しなくなる。
【００２１】
ステップＳ４：次に図１の点検チェックマ−ク２をクリックすると図３の様な画面が表示がされる。
【００２２】
ステップＳ５：図３から「小扉が開かない」をクリックするとチェックリストに小扉が開かないが記載され、画面は図１の画面に戻る。但し、感知器の点検が終了した為、点検チェックマ−ク２は点滅しなくなる。
【００２３】
ステップＳ６：この様な繰り返しにより図１中の全てチェックマ−クが点滅しない状態にしないと次の場所の画面に移行できないようにする。
【００２４】
このような本発明の防火対象物点検処理により、点検を行う場所を選択すると、その場所の情景（写真・イラストなど）や図面が表示され、その中のシンボルマ−クや設備機器画像部分をクリックすると、点検表が自動作成される様にした事から点検対象の点検漏れを防止できるようになる。
【００２５】
また、点検用ソフトウェアについても、点検対象の設備機器のシンボルマ−クや設備機器画像部分クリックする事により、点検要領や不具合内容・関連法令等が自動表示または、選択表示されるようにした為、点検の効率化・点検者の資質に左右されない点検の質の一定化を図る事ができる。
【００２６】
（消防計画作成処理）
本発明による消防計画作成処理のプログラムによる処理手順の実施形態を説明すると次のようになる。
【００２７】
図４は防災計画作成処理のフローチャートである。まずステップＳ１で防火対象物の延べ面積、事業主の床面積、防火対象物の階数、構造、用途などのデータをそのときの防火対象物に応じて入力する。この入力内容に基づきステップＳ２〜Ｓ４で大規模用か、中規模用か、小規模用かが判別され、ステップＳ５〜Ｓ７のそれぞれのサブルーチンに移行する。
【００２８】
図５は図４のステップＳ５における大規模用のサブルーチンのフローチャートである。図５において、ステップＳ１で権原者数、各テナントの用途、収容人員、各々の従業員数を入力する。次にステップＳ２〜Ｓ８において、収容人員による判別をおこなってステップＳ９〜Ｓ１１の用途とし規模に応じた消防計画１００を作成する。
【００２９】
次に本発明による消防計画作成処理のプログラムによる処理手順の他の実施形態を説明すると次のようになる。
【００３０】
ステップＳ１：メニュー画面から建物（用途）リストを選択すると図６の様な写真やリストが表示され、消防計画に必要な入力項目が表示される。
【００３１】
ステップＳ２：また同じ用途に関して過去に消防計画を作成した内容を参照して実態に即した計画を図７の様な画面から立案する。
【００３２】
ステップＳ３：ステップＳ３の内容を確認後、図８のフローチャートに従ったプログラムの実行により自動的解析し、用途別に対応した消防計画を作成する。
【００３３】
図８のフローチャートは次のようになる。
ステップＳ１：消防計画立案の基礎データ分析する。
ステップＳ２：標準消防計画基礎データ及び関連パーツから提案消防計画作成する。
ステップＳ３：過去作成済の消防計画書から実態に即した内容へ修正する。
ステップＳ４：最終確認と消防計画作成する。
ステップＳ５：消防計画書の発行する
ステップＳ６：作成消防計画書の画面を参照する。
【００３４】
このような本発明の消防計画作成処理により、規模毎の画一的な消防計画書作成から、建物用途別の実態に即した消防計画を作成することができるようになる。また、過去において作成済の消防計画が参照できることで、より的確な判断ができ、作成も容易にスピーディーに対応できるようになる。
【図面の簡単な説明】
【００３５】
【図１】本発明による防火対象物点検処理でメニュー画面から廊下を選択した場合の遷移画面の説明図
【図２】図１の点検チェックマーク１をクリックした場合の遷移画面の説明図
【図３】図１の点検チェックマーク２をクリックした場合の遷移画面の説明図
【図４】本発明による消防計画作成処理のフローチャート
【図５】図２に続く大規模用のサブルーチンの処理を示したフローチャート
【図６】本発明による消防計画作成処理でメニュー画面から建物リストを選択した場合の遷移画面の説明図
【図７】本発明による消防計画作成処理で過去に作成した消防計画を参照して計画を立案する場合の処理画面の説明図
【図８】図６又は図７の内容を確認後に消防計画を作成する本発明による消防計画作成処理のフローチャート
【符号の説明】
【００３６】
１〜３：点検チェックマーク
１００：消防計画
【図１】
2005267142.tif 000003
【図２】
2005267142.tif 000004
【図３】
2005267142.tif 000005
【図４】
2005267142.tif 000006
【図５】
2005267142.tif 000007
【図６】
2005267142.tif 000008
【図７】
2005267142.tif 000009
【図８】
2005267142.tif 000010